(57)【特許請求の範囲】
【請求項１】
間接活線工具により電線に取り付けて用いられる絶縁カバーであって、
その長手方向に沿って側面が２つ割れすることにより開口可能な略管状の絶縁部材と、
前記絶縁部材の長手方向の所定位置に当該絶縁部材の内周面に沿って設けられる一つ以上の電線取付金具と、
を備え、
前記電線取付金具は、
前記絶縁部材の前記２つ割れする側に設けられ、前記絶縁部材の軸方向から眺めた場合に略Ｖ字状を呈するネック部と、
前記ネック部に連続して設けられ、前記絶縁部材の軸方向から眺めた場合に環状を呈する環状部と、
を有し、
前記ネック部は、前記略Ｖ字状の部分を構成する各片の内側面に電線が押し当てられることにより前記略Ｖ字状の部分の頂部が開くように設けられ、
前記環状部は、開いた前記頂部を通過した前記電線に係止されるように設けられ、
前記絶縁部材は、前記電線取付金具が設けられている部分の近傍の、前記２つ割れすることにより開口する側と対向する側の側面に、前記間接活線工具により把持される把持部を有する
絶縁カバー。
【請求項２】
請求項１に記載の絶縁カバーであって、
前記電線取付金具は、一本の棒状部材を所定位置で折り曲げることにより形成され、前記ネック部の前記略Ｖ字状の部分を構成する各片は、夫々、前記棒状部材の各両端部から所定長さの部分を用いて形成され、前記環状部は、前記棒状部材の前記ネック部以外の部分を環状に折り曲げることにより形成される
絶縁カバー。
【請求項３】
請求項１または２に記載の絶縁カバーであって、
前記絶縁部材の一端から所定長さまでの部分である第１部分の内径、及び前記絶縁部材の他端から所定長さまでの部分である第２部分の外径が、前記第２部分を前記第１部分に嵌挿可能な程度に設定されている
絶縁カバー。
【請求項４】
請求項３に記載の絶縁カバーであって、
前記絶縁部材は、前記第１部分の内周面に形成された凹部と、前記第２部分の外周面の、前記第２部分を前記第１部分に挿入した際に前記凹部に嵌合可能な位置に形成された凸部とを有する
絶縁カバー。
【発明の詳細な説明】
【技術分野】
【０００１】
この発明は、絶縁カバーに関する。
【背景技術】
【０００２】
特許文献１には、間接活線工法に用いる配電線用絶縁カバーについて開示されている。上記配電線用絶縁カバーは、配電線を覆う左右一対のカバー部材の上端をヒンジを介して回動自在に結合し、左右一対のカバー部材の下端部にカバー部材を開閉自在に係止させる係止手段を備え、係止手段は、一方のカバー部材の下端部に設けられた、係止孔が穿設された舌片状の第１係止片と、他方のカバー部材の下端部に設けられた、係止孔に係止する係止爪を備える舌片状の第２係止片とを有し、第１係止片及び第２係止片は、カバー部材に対して内側に傾斜して形成され、係止爪を係止孔に係止すると係止爪が係止孔から突出し、第１係止片と第２係止片とがカバー部材に対して略４５°の角度で互いに直交する、と記載されている。
【０００３】
特許文献２には、高圧配電線に取付けられる配電線用絶縁カバーについて開示されている。上記配電線用絶縁カバーは、上端のヒンジ部を支点に開閉自在な左右一対のカバー部材と、この一対のカバー部材の各下端に対向するように設けられた左右一対の鍔部と、この一対の鍔部に設けられ、鍔部およびカバー部材を閉成状態に保持する係止手段と、一対の鍔部の各々に形成された貫通孔と、一対の鍔部の各内面に突設され、鍔部およびカバー部材が閉成状態になると、反対側の鍔部に形成された貫通孔を貫通して反対側の鍔部外側に先端側が突出する左右一対の取外し用突起とを具備し、反対側の鍔部外側に突出した左右一対の取外し用突起の両先端を内側方向に押すことにより係止手段による係止が外れて一対の鍔部および一対のカバー部材が開放状態に操作される、と記載されている。
【先行技術文献】
【特許文献】
【０００４】
【特許文献１】特開２０１５−３３２７４号公報
【特許文献２】特開２００７−６６５５号公報
【発明の概要】
【発明が解決しようとする課題】
【０００５】
架空電線等の電線を対象として行われる、いわゆる間接活線作業に際しては、事故防止のために電線の充電部分に防護用の絶縁カバーを取り付けている。
【０００６】
図１３乃至図１６に絶縁カバー（以下、絶縁カバー７０と称する。）の一例を示している。ここで図１３は、絶縁カバー７０の斜視図であり、図１４は、絶縁カバー７０の側面図、図１５は、図１４の絶縁カバー７０を同図に示すＡ−Ａ’線で切断したときの断面図、図１６は、図１４に示した絶縁カバー７０を同図におけるＢ−Ｂ’線で切断したときの断面図である。
【０００７】
絶縁カバー７０は、樹脂等の柔軟な絶縁性の素材を用いて構成されている。図１４に示すように、絶縁カバー７０は、電線２の所定範囲をカバーするように所定長さで延伸する長尺の略管状体である。絶縁カバー７０は、その長手方向に沿って側面が２つ割れすることにより開口可能であり、絶縁カバー７０は、上記開口から内部空間に電線２を取り込むことにより電線２の周囲に取り付けられる。図１７に絶縁カバー７０が電線２に取り付けられた状態を示す。
【０００８】
図１４に示すように、絶縁カバー７０の一端には、内周面の一部に凹部７１１が形成された雌側接続部７１が、他端には外周面の一部に凸部７２１が形成された雄側接続部７２が形成されている。雌側接続部７１と雄側接続部７２とを結合させることにより、隣接して電線に取り付けられている２つの絶縁カバー７０を連結することができる。より詳細には、図１８に示すように、一方の絶縁カバー７０の雄側接続部７２を他方の絶縁カバー７０の雌側接続部７１に差し込み、一方の絶縁カバー７０の凸部７２１を他方の絶縁カバー７０の凹部７１１に嵌合させることにより、２つの絶縁カバー７０を連結することができる。
【０００９】
ところで、間接活線作業における上記絶縁カバー７０の取り付けは間接活線工具６（絶縁ヤットコ等）を用いて行われるが、その際、作業者は、絶縁カバー７０の重量を間接活線工具６で支えつつ、前述した開口部を電線２に押し付けて開口部をこじ開ける必要がある。また図１６に示すように、開口部の内周面には、絶縁カバー７０の長手方向に沿って絶縁カバー７０が電線２から脱落するのを防ぐための返し構造７７が設けられており、絶縁カバー７０を電線２に取り付ける際、作業者はこの返し構造７７に起因する反力に逆らって絶縁カバー７０を電線２に押し付ける必要もあり、取り付け時における作業者の肉体的な負担は大きい。また絶縁カバー７０を連結する場合には、作業者は、間接活線工具６を用いて一方の絶縁カバー７０の雄側接続部７２を他方の絶縁カバー７０の雌側接続部７１に押し込むように操作するが、その際、絶縁カバー７０同士の摩擦力に抗する必要があり、この作業も負担が大きい。
【００１０】
また絶縁カバー７０の上記のような作業（絶縁カバー７０の取り付け、取り外し、連結）に際し、例えば、図１９に示すように、絶縁カバー７０の側面を間接活線工具６で掴んでしまうと、絶縁カバー７０の側面が潰れ、その結果、絶縁カバー７０と内部に取り込まれている電線２との間の摩擦力が増大して作業がしづらくなる。また例えば、図２０に示すように、間接活線工具６で絶縁カバー７０をその全周に亘って挟んでしまうと、絶縁カバー７０の可撓性により絶縁カバー７０を確実に把持することが難しくなる。
【００１１】
本発明は、こうした課題に鑑みてなされたものであり、絶縁カバーの電線への取り付け等の作業を容易かつ効率よく行うことが可能な絶縁カバーを提供することを目的としている。
【課題を解決するための手段】
【００１２】
上記目的を達成するための本発明のうちの一つは、間接活線工具により電線に取り付けて用いられる絶縁カバーであって、その長手方向に沿って側面が２つ割れすることにより開口可能な略管状の絶縁部材と、前記絶縁部材の長手方向の所定位置に当該絶縁部材の内周面に沿って設けられる一つ以上の電線取付金具と、を備え、前記電線取付金具は、前記絶縁部材の前記２つ割れする側に設けられ、前記絶縁部材の軸方向から眺めた場合に略Ｖ字状を呈するネック部と、前記ネック部に連続して設けられ、前記絶縁部材の軸方向から眺めた場合に環状を呈する環状部と、を有し、前記ネック部は、前記略Ｖ字状の部分を構成する各片の内側面に電線が押し当てられることにより前記略Ｖ字状の部分の頂部が開くように設けられ、前記環状部は、開いた前記頂部を通過した前記電線を係止するように設けられる。
【００１３】
本発明の絶縁カバーによれば、作業者は、間接活線工具を用いて絶縁部材の２つ割れして開口する側を電線に押し付けるようにすることで電線取付金具のネック部が開いて電線が環状部に収容される。また電線から絶縁カバーを取り外す際は、作業者は間接活線工具を用いて電線から引き離す方向に力を加えるだけで上記ネック部が開いて環状部から電線を取り外すことができる。このように本発明の絶縁カバーによれば、作業者は絶縁カバーの電線への取り付けや取り外しを容易かつ効率よく行うことができる。
【００１４】
本発明の他の一つは、上記絶縁カバーであって、前記絶縁部材は、前記電線取付金具が設けられている部分の近傍の、前記２つ割れすることにより開口する側と対向する側の側面に、前記間接活線工具により把持される把持部を有する。
【００１５】
作業者は、間接活線工具により上記把持部を把持することで、電線取付金具のネック部に力を集中させやすくなり、絶縁カバーの電線への取り付け作業や取り外し作業を効率よく行うことができる。
【００１６】
本発明の他の一つは、上記絶縁カバーであって、前記電線取付金具は、一本の棒状部材を所定位置で折り曲げることにより形成され、前記ネック部の前記略Ｖ字状の部分を構成する各片は、夫々、前記棒状部材の各両端部から所定長さの部分を用いて形成され、前記環状部は、前記棒状部材の前記ネック部以外の部分を環状に折り曲げることにより形成される。
【００１７】
このように電線取付金具は簡素な構成であるため容易に製造することができる。
【００１８】
本発明の他の一つは、上記絶縁カバーであって、前記絶縁部材の一端から所定長さまでの部分である第１部分の内径、及び前記絶縁部材の他端から所定長さまでの部分である第２部分の外径が、前記第２部分を前記第１部分に嵌挿可能な程度に設定されている。
【００１９】
２つの絶縁カバーの一方の第２部分を他方の絶縁カバーの第１部分に嵌挿することにより、２つの絶縁カバーを連結することができる。尚、２つの絶縁カバーの絶縁部材は、いずれもその内周面に沿って設けられた電線取付金具によって一定の形態に維持されるので、第１部分の内径と第２部分の外径は、嵌挿する際の摩擦力が過大とならないように維持される。
【００２０】
本発明の他の一つは、上記絶縁カバーであって、前記絶縁部材は、前記第１部分の内周面に形成された凹部と、前記第２部分の外周面の、前記第２部分を前記第１部分に挿入した際に前記凹部に嵌合可能な位置に形成された凸部とを有する。
【００２１】
第１部分の内周面に形成された凹部と、第２部分の外周面に形成された凸部とを嵌合させることで、確実かつ着脱自在に２つの絶縁カバーを連結することができる。
【００２２】
その他、本願が開示する課題、及びその解決方法は、発明を実施するための形態の欄、及び図面により明らかにされる。
【発明の効果】
【００２３】
本発明によれば、絶縁カバーの電線への取り付け作業等を容易かつ効率よく行うことができる。
【図面の簡単な説明】
【００２４】
【図１】絶縁カバー１の側面図である。
【図２】図１のＡ−Ａ’線で切断した際の絶縁カバー１の断面図である。
【図３】図１のＢ−Ｂ’線で切断した際の絶縁カバー１の断面図である。
【図４】絶縁カバー１の各端部周辺を拡大して描いた側面図である。
【図５】絶縁カバー１を電線２に取り付ける手順を説明する図である。
【図６】絶縁カバー１を電線２に取り付ける手順を説明する図である。
【図７】絶縁カバー１を電線２に取り付ける手順を説明する図である。
【図８】図７の状態における絶縁カバー１の斜視図である。
【図９】絶縁カバー１を連結する手順を説明する図である。
【図１０】絶縁カバー１の取り外しの手順を説明する図である。
【図１１】絶縁カバー１の取り外しの手順を説明する図である。
【図１２】絶縁カバー１の取り外しの手順を説明する図である。
【図１３】従来の絶縁カバー７０の斜視図である。
【図１４】絶縁カバー７０の側面図である。
【図１５】図１４の絶縁カバー７０を同図に示すＡ−Ａ’線で切断したときの断面図である。
【図１６】図１４に示した絶縁カバー７０を同図におけるＢ−Ｂ’線で切断したときの断面図である。
【図１７】絶縁カバー７０が電線２に取り付けられている様子を示す図である。
【図１８】絶縁カバー７０を連結する手順を説明する図である。
【図１９】絶縁カバー７０の課題を説明する図である。
【図２０】絶縁カバー７０の課題を説明する図である。
【発明を実施するための形態】
【００２５】
以下、本発明の実施形態につき図面を参照しつつ詳細に説明する。
【００２６】
図１は、本発明の一実施形態として示す、架空電線等の電線２の間接活線作業に際して電線２の充電部分の防護に用いられる絶縁カバー１の側面図、図２は、図１のＡ−Ａ’線で切断した際の絶縁カバー１の断面図、図３は、図１のＢ−Ｂ’線で切断した際の絶縁カバー１の断面図である。
【００２７】
図１に示すように、絶縁カバー１は、その全体が長尺の略管状体を呈する。絶縁カバー１は、防護対象となる電線２の所定範囲をカバーすべく所定長さで延伸する筒状の絶縁部材１１と、絶縁部材１１の内部に設けられた３つ以上の電線取付金具１５とを含む。絶縁部材１１は、樹脂等の可撓性を有する絶縁性の素材を用いて構成されている。絶縁カバー１を電線２に取付けた状態では、電線２は、絶縁部材１１の内部の空間に収容される。
【００２８】
絶縁部材１１の長手方向の所定位置には、側面が略矩形状の扁平な３つの把持部１２が所定の間隔を開けて形成されている。同図に示す絶縁カバー１の場合は、３つの把持部１２が、絶縁部材１１の長手方向に沿って等間隔で形成されている。
【００２９】
上記３つの電線取付金具１５は、夫々、絶縁部材１１の長手方向に沿って絶縁部材１１の各把持部１２が設けられている位置の近傍に設けられている。各電線取付金具１５は、いずれも金属（ステンレス）等の所定の素材を用いて構成されている。
【００３０】
絶縁部材１１は、その長手方向に沿って側面が２つ割れすることにより開口可能な構造を有する。同図に示す絶縁カバー１の場合は、絶縁部材１１の把持部１２が設けられている側と対向する側の端辺１１６が２つ割れして開口する。
【００３１】
図３に示すように、電線取付金具１５は、絶縁部材１１の軸方向から眺めた場合に略Ｖ字状を呈するネック部１５１と、絶縁部材１１の軸方向から眺めた場合に環状を呈する環状部１５２とを有する。
【００３２】
電線取付金具１５は、例えば、所定長さの一本の棒状部材（帯状部材でもよい）を所定位置で折り曲げることにより形成することができる。その場合、ネック部１５１の略Ｖ字状の部分を構成する各片１５１ａ，１５１ｂは、夫々、上記棒状部材の各両端部から所定長さの部分を用いて形成する。また環状部１５２は、上記棒状部材の上記ネック部１５１以外の部分を環状に折り曲げることにより形成する。ネック部１５１は、環状部１５２の中央付近を支点１５３として開閉し、ネック部１５１には当該ネック部１５１の略Ｖ字状の部分を構成する各片１５１ａ，１５１ｂが閉じる方向に力が作用する。尚、各片１５１ａ，１５１ｂの長さは、図３に示した態様に限られない。また環状部１５２の態様は、図３に示したものに限られない。
【００３３】
尚、以上のように構成される電線取付金具１５と類似の構成を備えるものとして、例えば、防護管電線取付金具（例えば、ヨツギ株式会社（登録商標）製の「防護管電線取付金具」）がある。
【００３４】
図４は、絶縁カバー１の各端部周辺を拡大して描いた側面図である。同図に示すように、絶縁部材１１の一端から所定長さまでの部分である第１部分、及び絶縁部材１１の他端から所定長さまでの部分である第２部分には、当該絶縁カバー１を隣接して電線２に取り付けられている他の絶縁カバー１と連結するための構造（以下、連結構造とも称する。）が形成されている。以下、第１部分に形成されている上記連結構造を雌側接続部１１１と、第２部分に形成されている上記連結構造を雄側接続部１１２と、夫々称する。
【００３５】
雌側接続部１１１の内径は、雄側接続部１１２を嵌挿可能な程度、雄側接続部１１２の外径よりもやや大きく設定されている。絶縁部材１１は、雌側接続部１１１の内周面に形成された略矩形状の凹部１１３、及び雄側接続部１１２の外周面に形成された略矩形状の凸部１１４を有する。同図に矢印で示したように、絶縁カバー１を連結する際は、一方の絶縁カバー１の雄側接続部１１２を他方の絶縁カバー１の雌側接続部１１１に嵌挿し、一方の絶縁カバー１の凸部１１４を他方の絶縁カバー１の凹部１１３に嵌合させる。
【００３６】
＜絶縁カバー１の取り付け＞
続いて、間接活線工具６（絶縁ヤットコ等）を用いて絶縁カバー１を電線２に取り付ける際の具体的な手順について、図５乃至図７とともに説明する。尚、図５乃至図７は、いずれも絶縁カバーと当該絶縁カバー１が取り付けられる電線２との関係を示した模式図（図１のＢ−Ｂ’線で切断した際の絶縁カバー１の断面図）である。
【００３７】
まず図５に示すように、作業者は、絶縁カバー１の把持部１２を間接活線工具６で掴んで絶縁カバー１を持ち上げ、絶縁カバー１の軸方向と電線２の延伸する方向をあわせつつ、絶縁カバー１の２つ割れした部分を電線２に押し当てる。
【００３８】
続いて、作業者は、絶縁カバー１の把持部１２を間接活線工具６（同図では省略）で掴んだまま間接活線工具６をさらに押し上げる。これにより、図６に示すように、電線取付金具１５のネック部１５１（絶縁部材１１の２つ割れした開口部）が開いて電線２が環状部１５２の方に押し込まれ、最終的には、図７に示すように、電線２が環状部１５２の内側に収容されて、環状部１５２が電線２に係止された（ぶら下がった）状態となる。図８に、図７の状態における絶縁カバー１の斜視図を示す。
【００３９】
尚、ネック部１５１を開くために必要な力は、作業者がネック部１５１を開くのにさほどの力を必要とせず、かつ、環状部１５２が電線２に係止された状態でネック部１５１が確実に閉じた状態（電線２から外れにくい状態）に維持されるように調節される。
【００４０】
以上のように、本実施形態の絶縁カバー１によれば、作業者は、電線２への絶縁カバー１の取り付け作業を容易に行うことができる。また電線取付金具１５によって絶縁カバー１を電線２に確実に取り付けることができる。このように、本実施形態の絶縁カバー１によれば、作業者は経験や熟練を要することなく効率よく作業を進めることができる。
【００４１】
＜絶縁カバー１同士の連結＞
前述したように、絶縁カバー１は連結構造を有しており、隣接して電線２に設けられている絶縁カバー１同士は互いに連結することができる。
【００４２】
上記連結に際しては、作業者は、各絶縁カバー１を電線２に取付けた後、間接活線工具６を用いて連結する２つの絶縁カバー１を近づけて、図９に示すように一方の絶縁カバー１の雄側接続部１１２を他方の絶縁カバー１の雌側接続部１１１に嵌挿し、一方の絶縁カバー１の凸部１１４を他方の絶縁カバー１の凹部１１３に嵌合させる。
【００４３】
ここで絶縁カバー１は、電線取付金具１５によって形態が維持されているので、雌側接続部１１１の内径及び雄側接続部１１２の外径はいずれも固定されている。そのため、雄側接続部１１２は雌側接続部１１１にスムーズに嵌挿することができる。また雌側接続部１１１の内径及び雄側接続部１１２の外径を夫々予め適正な値に設定しておけば、上記嵌挿に際して過大な摩擦力が生じることもなく、作業者は２つの絶縁カバー１を難なく連結することができる。尚、連結を解除する際は、基本的に以上と逆の手順を辿ればよい。
【００４４】
＜絶縁カバー１の取り外し＞
絶縁カバー１を電線２から取り外す際は、基本的に前述した絶縁カバー１を取り付ける際の手順と逆の手順を辿ればよい。即ち図１０に示すように、作業者は、まず絶縁カバー１の把持部１２を間接活線工具６（同図では省略）で掴んで下方に引っ張る。これにより図１１に示すように、電線取付金具１５のネック部１５１が開き、図１２に示すように電線２が環状部１５２から外れる。以上のように、作業者は、容易かつ効率よく電線２から絶縁カバー１を取り外すことができる。
【００４５】
以上に説明したように、本実施形態の絶縁カバー１にあっては、作業者が、間接活線工具６を用いて絶縁部材１１の２つ割れして開口する側を電線２に押し付けるようにすることで、電線取付金具１５のネック部１５１が開き、電線２がスムーズに環状部１５２に収容され、絶縁カバー１を電線２に取り付けることができる。また電線２から絶縁カバー１を取り外す際は、作業者は間接活線工具６を用いて電線２から引き離す方向に力を加えるだけで上記ネック部１５１が開き、環状部１５２から電線２を取り外すことができる。このように本実施形態の絶縁カバー１によれば、作業者は、絶縁カバーの電線２への取り付けや取り外しを容易（軽負荷）かつ効率よく行うことができる。
【００４６】
また作業者は、間接活線工具６により前述した把持部１２を把持することで、電線取付金具１５のネック部１５１に力を集中させやすくなり、絶縁カバー１の電線２への取り付け作業や取り外し作業を効率よく行うことができる。
【００４７】
また電線取付金具１５は簡素な構成で実現することができ、本実施形態の絶縁カバー１は容易に製造することができる。
【００４８】
また２つの絶縁カバー１の一方の第２部分を他方の絶縁カバー１の第１部分に嵌挿することにより、隣接して電線２に取り付けられている２つの絶縁カバー１同士を容易に連結することができる。尚、２つの絶縁カバー１の絶縁部材１１は、いずれもその内周面に沿って設けられた電線取付金具１５によって一定の形態に維持されるので、第１部分の内径と第２部分の外径は、嵌挿する際の摩擦力が過大とならないように維持される。
【００４９】
また第１部分の内周面に形成された凹部１１３と、第２部分の外周面に形成された凸部１１４とを嵌合させることで、２つの絶縁カバー１は確実かつ着脱自在に連結することができる。
【００５０】
尚、以上の説明は、本発明の理解を容易にするためのものであり、本発明を限定するものではない。本発明はその趣旨を逸脱することなく、変更、改良され得ると共に本発明にはその等価物が含まれることは勿論である。
【符号の説明】
【００５１】
１  絶縁カバー、２  電線、１１  絶縁部材、１２  把持部、１５  電線取付金具、１１１  雌側接続部、１１２  雄側接続部、１１３  凹部、１１４  凸部、１１６  端辺、１５１  ネック部、１５１ａ，１５１ｂ  片、１５２  環状部、１５３  支点
【図１】
0006536272.tif 000002
【図２】
0006536272.tif 000003
【図３】
0006536272.tif 000004
【図４】
0006536272.tif 000005
【図５】
0006536272.tif 000006
【図６】
0006536272.tif 000007
【図７】
0006536272.tif 000008
【図８】
0006536272.tif 000009
【図９】
0006536272.tif 000010
【図１０】
0006536272.tif 000011
【図１１】
0006536272.tif 000012
【図１２】
0006536272.tif 000013
【図１３】
0006536272.tif 000014
【図１４】
0006536272.tif 000015
【図１５】
0006536272.tif 000016
【図１６】
0006536272.tif 000017
【図１７】
0006536272.tif 000018
【図１８】
0006536272.tif 000019
【図１９】
0006536272.tif 000020
【図２０】
0006536272.tif 000021